(57)【要約】【課題】車体後部が大きく湾曲した状態に見えるようなことを適切に抑制することができ、ユーザに違和感を与えないようにすることが可能な車両のリヤアンダミラーを提供する。【解決手段】左右幅方向において凸面であり、かつ上下高さ方向において凹面の鏡面３を有している、車両のリヤアンダミラーＡであって、鏡面３は、左右幅方向中心部から左右幅方向両端部に進むにしたがって前記凹面の曲率半径が漸次小さくなる形状とされている。【選択図】  図１
2014148241.tif 000002
【特許請求の範囲】
【請求項１】
左右幅方向において凸面であり、かつ上下高さ方向において凹面の鏡面を有している、車両のリヤアンダミラーであって、
前記鏡面は、その左右幅方向中心部から両端部に進むにしたがって前記凹面の曲率半径が漸次小さくなる形状とされていることを特徴とする、車両のリヤアンダミラー。
【発明の詳細な説明】
【技術分野】
【０００１】
本発明は、車両のリヤウインドウの上部または上方に配されて、車両の後部下方周辺を視認するのに用いられる車両のリヤアンダミラーに関する。
【背景技術】
【０００２】
車両のリヤアンダミラーの一例として、車両の後部下方周辺を映すための鏡面が、左右幅方向において凸面され、かつ上下高さ方向において凹面とされたものがある（たとえば、特許文献１を参照）。
このような構成によれば、鏡面が左右幅方向において凸面とされているために、車幅方向の広範囲を鏡面に映すことが可能である。一方、前記鏡面が上下高さ方向において凹面とされていることにより、鏡像を正立像とし、視認性をよくすることが可能である。
【０００３】
しかしながら、前記従来においては、次のように改善すべき余地があった。
すなわち、図６は、鏡面３Ｅの下部寄り領域に、リヤバンパなどの車体後部の像Ｉｂ（クロスハッチング部分）を映した場合の例を示している。従来では、鏡面３Ｅの下部寄り領域に映る像は、左右幅方向の中央側部分がその両端側よりもかなり上側に位置ずれした状態に見えるようになっている（その詳細は、後述する本発明との対比例の説明を参照）。このため、車体後部の外形が実際にはストレートに近い形状であるにも拘わらず、車体後部の像Ｉｂは、大きく湾曲した像となる。ところが、このように車体後部が大きく湾曲した状態に見えたのでは、ユーザに違和感を与えてしまう。
【先行技術文献】
【特許文献】
【０００４】
【特許文献１】国際公開ＷＯ２０１１／１３６２０６公報
【発明の概要】
【発明が解決しようとする課題】
【０００５】
本発明は、前記したような事情のもとで考え出されたものであり、車体後部が大きく湾曲した状態に見えることを適切に防止、ユーザに違和感を与えないようにすることが可能な車両のリヤアンダミラーを提供することを、その課題としている。
【課題を解決するための手段】
【０００６】
上記の課題を解決するため、本発明では、次の技術的手段を講じている。
【０００７】
本発明により提供される車両のリヤアンダミラーは、左右幅方向において凸面であり、かつ上下高さ方向において凹面の鏡面を有している、車両のリヤアンダミラーであって、前記鏡面は、その左右幅方向中心部から両端部に進むにしたがって前記凹面の曲率半径が漸次小さくなる形状とされていることを特徴としている。
【０００８】
このような構成によれば、後述する実施形態から理解されるように、鏡面の下部寄り領域に映る像が、左右幅方向の中央部側と両端部側とで上下方向に大きく位置ずれしたものとなることが抑制され、車体後部が大きく湾曲した状態に見えないようにすることができる。その結果、ユーザに違和感を与えないようにすることができる。
【０００９】
本発明のその他の特徴および利点は、添付図面を参照して以下に行なう発明の実施の形態の説明から、より明らかになるであろう。
【図面の簡単な説明】
【００１０】
【図１】本発明に係る車両のリヤアンダミラーの一例を示す概略説明図である。
【図２】図１に示すリヤアンダミラーの作用説明図である。
【図３】図１に示すリヤアンダミラーの鏡面を示し、（ａ）は、（ｂ）のIIIa−IIIa断面図であり、（ｂ）は、正面図であり、（ｃ）は、（ｂ）のIIIc−IIIc断面図であり、（ｄ）は、（ｂ）のIIId−IIId断面図である。
【図４】図１に示すリヤアンダミラーの鏡面の形状の説明図である。
【図５】図１に示すリヤアンダミラーの鏡面に映る像の一例を模式的に示す概略正面図である。
【図６】従来のリヤアンダミラーの鏡面に映る像の一例を模式的に示す概略正面図である。
【発明を実施するための形態】
【００１１】
以下、本発明の好ましい実施の形態について、図面を参照して具体的に説明する。
【００１２】
図１に示す車両のリヤアンダミラーＡは、車両１の後部下方周辺を視認するのに用いられるものであり、車両１のリヤウインドウの上部または上方に、ブラケット２を用いて取り付けられている。好ましくは、このリヤアンダミラーＡは、車室内の車幅方向略中央位置に配設される。車両１に室内付けハイマウントストップランプが取り付けられている場合には、そのハウジングの前面側に配設され、外部からのストップランプの視認性を損なわないようにされる。
【００１３】
リヤアンダミラーＡは、鏡面３を有するが、この鏡面３は、図３（ｂ）に示すように、その正面視形状は、左右両側縁が円弧状の略矩形状である。また、同図（ａ）に示すように、鏡面３は、左右幅方向において適当な曲率半径Ｒａの凸面である。なお、図３（同図（ｂ）を除く）においては、鏡面３を模式的に１本の線のみによって示しているが、実際には、リヤアンダミラーＡは、鏡面３を形成するためのベース部（図示略）を有している。前記した曲率半径Ｒａは、鏡面３の上下高さ方向の中央部よりも上部側および下部側の方が若干大きくされている。ただし、これに限定されず、鏡面３の上下高さ方向の各所の曲率半径Ｒａを同一にしてもよい。
【００１４】
図３（ｃ），（ｄ）に示すように、鏡面３は、上下高さ方向において凹面である。ただし、この凹面の曲率半径Ｒｂは、各所同一ではなく、鏡面３の左右幅方向中心部からその両端部に進むにしたがって漸次小さくなっている。したがって、同図（ｃ），（ｄ）にそれぞれ示す曲率半径Ｒｂ１，Ｒｂ２は、Ｒｂ１＞Ｒｂ２の関係にある。
【００１５】
図４に示す立体ＳＢは、円弧状に湾曲した断面円形の湾曲棒状または湾曲管状であって、所定の中心位置から離間するにしたがって直径が漸次小さくなる立体である。鏡面３は、この立体ＳＢの一部の面Ｆと同様なものである。
【００１６】
車両のリヤアンダミラーＡは、図１に示すように、車両１の後方の地面や車両１の後部の一部が鏡面３に映り、これがユーザによって視認し得るように設定されて使用される。
その際の作用を、図２を参照して以下に説明する。
【００１７】
図２は、図１に示した車両１のリヤバンパ１０の後端の輪郭線Ｌが鏡面３に映り、ユーザに視認される状態を示す。輪郭線Ｌは、車両１の車幅方向に延びた直線であるものと仮定する。図２においては、鏡面３の計３箇所のセクションＳ１〜Ｓ３が実線で示されている。これらのセクションＳ１〜Ｓ３は、図３（ｂ）の仮想線で示す位置であり、セクションＳ１，Ｓ３は、図３（ｃ），（ｄ）に示した部分である。セクションＳ２は、セクションＳ１，Ｓ３間の略中央に位置する。
【００１８】
図２には、対比例として、図６に示した従来の鏡面３ＥのセクションＳａ〜Ｓｃも示されている。この対比例の鏡面３Ｅは、左右幅方向において凸面であって、上下高さ方向において凹面の鏡面であるが、凹面の曲率半径は一定であり、この点が本実施形態の鏡面３とは相違する。セクションＳａは、鏡面３Ｅの左右幅方向中央部分であり、その曲率半径や位置は、本実施形態の鏡面３のセクションＳ１と一致させている。鏡面３ＥにおけるセクションＳｂ，Ｓｃの横幅方向の位置は、本実施形態の鏡面３のセクションＳ１，Ｓ２のそれぞれに対応している。
【００１９】
まず、対比例においては、リヤバンパ１０の輪郭線Ｌからの光線Ｒａ〜Ｒｃは、セクションＳａ〜Ｓｃのそれぞれの位置Ｐａ〜Ｐｃにおいて反射されてからユーザの眼に到達する。ここで、位置Ｐｂ，Ｐｃは、位置Ｐａよりも低く、位置Ｐａ，Ｐｃの高低差Ｈ１は、かなり大きい。したがって、輪郭線Ｌの鏡像は、左右横幅方向中央部が両端側よりも上側に突出するように大きく湾曲したラインとなる。このような原理により、図６に示したように、車体後部の像Ｉｂは大きく湾曲した像となる。
【００２０】
これに対し、本実施形態においては、リヤバンパ１０の輪郭線Ｌからの光線Ｒ１〜Ｒ３（光線Ｒ１，Ｒａは同じ）は、セクションＳ１〜Ｓ３のそれぞれの位置Ｐ１〜Ｐ３（位置Ｐ１，Ｐａは同じ）において反射されてからユーザの眼に到達する。位置Ｐ２，Ｐ３は、位置Ｐ１よりもやや高いものの、位置Ｐ１，Ｐ３の高低差Ｈ２は、かなり小さいものとなる。このため、輪郭線Ｌの鏡像は、殆ど湾曲のない直線状となる。本実施形態では、図５に示すように、鏡面３における車体後部（リヤバンパ１０）の像Ｉａは、大きく湾曲したものとはならない。その結果、ユーザに違和感を与えないようにすることが可能であり、また視認性も良好となる。
【００２１】
本発明は、上述した実施形態の内容に限定されない。本発明に係る車両のリヤアンダミラーの各部の具体的な構成は、本発明の意図する範囲内において種々に設計変更自在である。
【００２２】
本発明においては、鏡面の各部の具体的な曲率半径は限定されない。本発明では、鏡面の左右幅方向中心部からその両端部に進むにしたがって凹面の曲率半径が漸次小さくなるが、この凹面の曲率半径の変化の度合いも限定されない。鏡面の縦横のサイズや、全体の形状も限定されない。たとえば、正面視台形状などの他の形状にすることもできる。本発明に係る車両のリヤアンダミラーは、本発明が意図する構成の鏡面を有していればよく、具体的な材質や、車両への取り付け方法なども限定されない。
【符号の説明】
【００２３】
Ａ  車両のリヤアンダミラー
３  鏡面
【図１】
2014148241.tif 000003
【図２】
2014148241.tif 000004
【図３】
2014148241.tif 000005
【図４】
2014148241.tif 000006
【図５】
2014148241.tif 000007
【図６】
2014148241.tif 000008